(57)【要約】【課題】複雑な形状への加工が容易なインシュレーターを提供する。【解決手段】２枚の金属メッシュの間に、厚さ０．１ｍｍの薄板材を挟み込んだものによりインシュレーターを形成する。こうしたインシュレーターでは、形状凍結に必要な剛性、強度が金属メッシュにより確保されるため、間に挟み込まれる薄板材は非常に薄くすることができる。そして金属メッシュは、縮小拡大変形が容易にでき、プレス加工等による複雑な形状への加工を容易に行うことができる。【選択図】図１
2011252461.tif 000002
【特許請求の範囲】
【請求項１】
２枚の金属メッシュの間に、薄板材を挟み込んだものによりインシュレーターを形成する
ことを特徴とするインシュレーター。
【請求項２】
前記薄板材の厚さが０．１ｍｍ以下とされてなる
請求項１に記載のインシュレーター。
【請求項３】
前記薄板材は、アルミ合金により形成されてなる
請求項１又は２に記載のインシュレーター。
【請求項４】
前記金属メッシュは、金属製の線材を編み込んで形成されてなる
請求項１〜３のいずれか１項に記載のインシュレーター。
【請求項５】
前記金属メッシュは、パンチングメタルにより形成されてなる
請求項１〜３のいずれか１項に記載のインシュレーター。
【請求項６】
前記金属メッシュは、ラスメタルにより形成されてなる
請求項１〜３のいずれか１項に記載のインシュレーター。
【請求項７】
当該インシュレーターは、エンジンの排気系を覆うように設けられるものである
請求項１〜６のいずれか１項に記載のインシュレーター。
【発明の詳細な説明】
【技術分野】
【０００１】
本発明は、遮熱や遮音のために設けられるインシュレーターに関する。
【背景技術】
【０００２】
車載等のエンジンには、その排気系の排気マニホールドや排気管等からの放熱による周辺部品の熱害を防止するため、それらの排気系部品を遮熱板であるヒートインシュレーターで覆うようにしている。またヒートインシュレーターは、排気系部品のＮＶ（Noise, Vibration）対策のためにも、設けられることがある。
【０００３】
従来、こうしたヒートインシュレーターとして、特許文献１に記載のものが知られている。図６に示すように、同文献に記載のヒートインシュレーターは、金属基板１０と、その上面に配置された、無機質繊維からなる吸音材１１と、その上面に配置されて、金属基板１０にスポット溶接で固定された金網１２とを備えている。そして金属基板１０と金網１２との間に挟み込むことで、吸音材１１を固定するようにしている。
【先行技術文献】
【特許文献】
【０００４】
【特許文献１】特開平７−２６７０１８号公報
【発明の概要】
【発明が解決しようとする課題】
【０００５】
ところで、プレス加工等による形状の形成は、ヒートインシュレーターの板厚が薄い方が容易であり、複雑な形状の成形が可能となる。しかしながら、形状を維持するには、ある程度の剛性、強度が必要であり、ヒートインシュレーターの薄肉化には、自ずと限界があった。上記従来のヒートインシュレーターでは、その形状の維持は、金属基板１０によりなされており、その剛性を確保するため、金属基板１０の板厚はある程度に厚くする必要がある。
【０００６】
なお、こうした問題は、遮熱を行うヒートインシュレーターだけでなく、専ら遮音を行うために設けられる遮音用のインシュレーター（遮音板）においても概ね共通したものとなっている。
【０００７】
本発明は、こうした実情に鑑みてなされたものであり、その解決しようとする課題は、複雑な形状への加工が容易なインシュレーターを提供することにある。
【課題を解決するための手段】
【０００８】
上記課題を解決するため、インシュレーターとしての請求項１に記載の発明は、２枚の金属メッシュの間に、薄板材を挟み込んだものによりインシュレーターを形成するようにしている。
【０００９】
上記構成では、形状凍結に必要な剛性、強度を金属メッシュにより確保するため、間に挟み込む薄板材は非常に薄くすることができる。そして金属メッシュは、縮小拡大変形が容易にでき、プレス加工等による複雑な形状への加工を容易に行うことができる。したがって上記構成によれば、複雑な形状への加工を容易とすることができる。
【００１０】
こうしたインシュレーターでは、２枚の金属メッシュにより形状凍結に必要な剛性、強度が確保されるため、薄板材としては、請求項２に記載のような厚さが０．１ｍｍ以下とされたものでも使用が可能である。また薄板材の材料としては、例えば請求項３に記載のようなアルミ合金を使用可能である。
【００１１】
また金属メッシュとしては、請求項４に記載のような金属線材を編み込んで形成されたもの（金網）や、請求項５に記載のようなパンチングメタル、或いは請求項６に記載のようなラスメタルなどを使用可能である。
【００１２】
ちなみに、こうしたインシュレーターは、例えば請求項７によるような、エンジンの排気系を覆うように設けられるものとしてその具現が可能である。
【図面の簡単な説明】
【００１３】
【図１】本発明の一実施形態に係るインシュレーターの斜視構造を示す斜視図。
【図２】同実施形態のインシュレーターの表面の拡大図。
【図３】図２のＩＩＩ−ＩＩＩ線に沿った断面構造を示す断面図。
【図４】金属メッシュの他の実施態様を示す平面図。
【図５】同じく金属メッシュの他の実施態様を示す平面図。
【図６】従来のインシュレーターの平面構造を示す平面図。
【発明を実施するための形態】
【００１４】
以下、本発明のインシュレーターを具体化した一実施形態を、図１〜図３を参照して詳細に説明する。なお本実施の形態は、車載エンジンの排気系（排気マニホールド、排気管、触媒コンバーター）の遮熱を行うヒートインシュレーター（遮熱板）として本発明を具体化した場合を説明する。
【００１５】
図１に、本実施の形態のインシュレーターの斜視構造を示す。このインシュレーターは、排気マニホールド全体を覆うように構成されており、取り付け用のボルトやセンサーを通す複数の穴が形成されている。
【００１６】
図２は、こうしたインシュレーターの表面を拡大して示したものである。また図３は、図２のＩＩＩ−ＩＩＩ線に沿ったインシュレーターの断面構造を示したものである。
これらの図に示すように、このインシュレーターは、厚さ０．１ｍｍのアルミ合金製の薄板材１と、その上面及び裏面に配設された２枚の金属メッシュ２からなっている。金属メッシュ２は、ＳＵＳ、アルミメッキ鋼のような熱や腐食に強い金属の線材を格子状に編み込んで形成されている。
【００１７】
こうしたインシュレーターは、次の手順で製造されている。
１．まず、平面状の金属メッシュ２の上に平面状の薄板材１を置き、更にその上にもう一枚の金属メッシュ２を置く。
２．次にプレスにより、インシュレーターの形状に加工する。
３．続いてパンチにより余分な部分を切り抜いた後、インシュレーターの外縁部を折り曲げて、薄板材１及び金属メッシュ２を散けないように固定する。
４．最後に、ボルト穴の周囲を補強するゴーズワイヤーなどの補強材をスポット溶接などで取り付ける。
【００１８】
以上の本実施の形態のインシュレーターによれば、以下のような効果を得ることができる。
（１）本実施の形態では、２枚の金属メッシュ２の間に、薄板材１を挟み込んだものによりインシュレーターを形成するようにしている。こうしたインシュレーターでは、形状凍結に必要な剛性、強度が金属メッシュ２により確保されるため、間に挟み込まれる薄板材１は非常に薄くすることができる。そして金属メッシュは、縮小拡大変形が容易にでき、プレス加工等による複雑な形状への加工を容易に行うことができる。したがって本実施の形態によれば、複雑な形状への加工を容易とすることができる。
【００１９】
（２）本実施の形態では、ＳＵＳ、アルミメッキ鋼などの金属により形成されたメッシュ材を用いているため、インシュレーターに十分な強度を持たせることができ、その形状の凍結が可能となる。
【００２０】
（３）排気系から放射される熱線をアルミ合金製の薄板材１により遮断することができる。
（４）アルミ合金製の薄板材１に強度を持たせる必要はないため、縮み成形による折れ皺の形成を許容することができる。そのため、大幅な縮み成形を要する複雑な形状への成形が可能となる。
【００２１】
（５）アルミ合金製の板材に比して安価な線材を用いているため、製造コストを抑えることができる。
（６）振動が伝達されると、金属メッシュ２を構成する線材同士が擦り合い、摩擦により振動エレルギーを吸収するため、良好なＮＶ性能を得ることができる。
【００２２】
なお、上記実施の形態は、以下のように変更して実施することもできる。
・上記実施の形態では、金属メッシュ２として、金属製の線材を折り込んで形成した金網を用いるようにしていたが、金属メッシュ２としては、メッシュ状に形成されたものであれば、任意のものを使用可能である。例えば、パンチ等により板素材に多数の穴を開けることで形成された、図４のようなパンチングメタルや、切れ目を入れた板素材を引き延ばすことで菱形模様の金網状に形成された、図５に示すようなラスメタルなども、金属メッシュとして使用することができる。
【００２３】
・上記実施の形態では、薄板材１として厚さ０．１ｍｍのアルミ合金製の薄板を用いるようにしていた。成形性を考えた場合、遮熱性や遮音性を十分確保できる限りにおいて、薄板材１を薄くすることが望ましい。そのため、望ましい薄板材１の厚さは、０．１ｍｍ以下となっている。もっとも、十分な成形性が確保できるのであれば、遮熱性や遮音性の確保のために、薄板材１の厚さを０．１ｍｍよりも厚くしても良い。
【００２４】
・上記実施の形態では、薄板材１の材料としてアルミ合金を使用していたが、耐熱性や耐腐食性を十分に備えるものであれば、他の材料を使用しても良い。例えば耐熱樹脂なども、薄板材１の材料として用いることが可能である。
【００２５】
・上記実施の形態では、車載エンジンの排気系の遮熱を行うヒートインシュレーターとして本発明を具体化した場合を説明したが、本発明のインシュレーターは、それ以外の用途にも用いることができる。また遮熱のためではなく、専ら遮音板のために用いられるインシュレーター（遮音板）にも、本発明を適用することは可能である。
【符号の説明】
【００２６】
１…薄板材、２…金属メッシュ。
【図２】
2011252461.tif 000003
【図３】
2011252461.tif 000004
【図４】
2011252461.tif 000005
【図５】
2011252461.tif 000006
【図６】
2011252461.tif 000007
【図１】
2011252461.tif 000008